【手続補正書】
【提出日】平成16年11月26日(2004.11.26)
【手続補正１】
【補正対象書類名】明細書
【補正対象項目名】特許請求の範囲
【補正方法】変更
【補正の内容】
【特許請求の範囲】
【請求項１】
ＩＰ網に接続し、所定のＩＰ電話方式により通話を行なう通信端末において、通話中の相手通信端末と、目的のインターネットリソースのＵＲＬ情報を送受信することにより、相手通信端末と同一のインターネットリソースを共有利用するインターネットリソース共有手段を有し、前記インターネットリソース共有手段は前記ＵＲＬ情報を受信すると該ＵＲＬ情報が示すインターネットリソースに自動的にアクセスすることを特徴とする通信端末。
【請求項２】
前記ＵＲＬ情報が前記ＵＲＬ情報を受信した後の利用処理に関する利用制御情報を含む特定の形式で記述され、前記ＵＲＬ情報を受信した場合、前記利用制御情報にしたがって前記ＵＲＬ情報に対応するインターネットリソースを利用することを特徴とする請求項１に記載の通信端末。
【請求項３】
自機または相手通信端末の一方が他方にＦＴＰログインし、前記ＵＲＬ情報をＦＴＰ手順を用いて相手通信端末と送受信することを特徴とする請求項１に記載の通信端末。
【請求項４】
相手通信端末に対してＦＴＰログインする際の認証情報としてメモリのアドレス帳領域に記憶された相手通信端末に関する情報を用いることを特徴とする請求項３に記載の通信端末。
【請求項５】
前記ＵＲＬ情報を電子メールプロトコルを用いて相手通信端末と送受信することを特徴とする請求項１に記載の通信端末。
【請求項６】
ＩＰ網に接続し、所定のＩＰ電話方式により通話を行なう通信端末において、通話中の相手通信端末と、目的のインターネットリソースのＵＲＬ情報を送受信することにより、相手通信端末と同一のインターネットリソースを共有利用するインターネットリソース共有手段を有し、
ＩＰ電話による通話中、前記ＵＲＬ情報を記述した電子メールを受信するため、ＰＯＰサーバから電子メールを受信する電子メール時間間隔を通常よりも短縮することを特徴とする通信端末。
【請求項７】
前記ＵＲＬ情報を記述した最初の電子メールを受信した後、前記電子メール時間間隔の短縮を行なうことを特徴とする請求項６に記載の通信端末。
【請求項８】
前記所定のＩＰ電話方式により取得した前記相手通信端末のＩＰアドレスに基づいて、前記ＵＲＬ情報を前記相手通信端末に送信することを特徴とする請求項１〜４のいずれか１項に記載の通信端末。
【請求項９】
ＩＰ網に接続し、所定のＩＰ電話方式により通話を行なう通信端末において、自機または相手通信端末の一方がＨＴＴＰプロキシサーバとして、他方がＨＴＴＰクライアントとして動作し、相手通信端末との間でＨＴＴＰプロキシ手順を用いて目的のインターネットリソース自体を送受信することにより、相手通信端末と同一のインターネットリソースを共有利用するインターネットリソース共有手段を有することを特徴とする通信端末。
【請求項１０】
前記所定のＩＰ電話方式により取得した前記相手通信端末のＩＰアドレスに基づいて、前記相手通信端末との間でＨＴＴＰ手順を用いて目的のインターネットリソースの送受信を行なうことを特徴する請求項９に記載の通信端末。
【請求項１１】
前記インターネットリソースがＨＴＴＰサーバにより提供されるＷＥＢデータであることを特徴とする請求項１〜１０のいずれか１項に記載の通信端末。
【請求項１２】
ＩＰ網に接続し、所定のＩＰ電話方式により通話を行なう通信端末の制御方法において、通話中の相手通信端末と、目的のインターネットリソースのＵＲＬ情報を送受信することにより、相手通信端末と同一のインターネットリソースを共有利用するインターネットリソース共有制御過程を含み、前記インターネットリソース共有過程は前記ＵＲＬ情報を受信すると該ＵＲＬ情報が示すインターネットリソースに自動的にアクセスすることを特徴とする通信端末の制御方法。
【請求項１３】
前記ＵＲＬ情報が前記ＵＲＬ情報を受信した後の利用処理に関する利用制御情報を含む特定の形式で記述され、前記ＵＲＬ情報を受信した場合、前記利用制御情報にしたがって前記ＵＲＬ情報に対応するインターネットリソースを利用することを特徴とする請求項１２に記載の通信端末の制御方法。
【請求項１４】
自機または相手通信端末の一方が他方にＦＴＰログインし、前記ＵＲＬ情報をＦＴＰ手順を用いて相手通信端末と送受信することを特徴とする請求項１２に記載の通信端末の制御方法。
【請求項１５】
相手通信端末に対してＦＴＰログインする際の認証情報としてメモリのアドレス帳領域に記憶された相手通信端末に関する情報を用いることを特徴とする請求項１４に記載の通信端末の制御方法。
【請求項１６】
前記ＵＲＬ情報を電子メールプロトコルを用いて相手通信端末と送受信することを特徴とする請求項１２に記載の通信端末の制御方法。
【請求項１７】
ＩＰ網に接続し、所定のＩＰ電話方式により通話を行なう通信端末の制御方法において、通話中の相手通信端末と、目的のインターネットリソースのＵＲＬ情報を送受信することにより、相手通信端末と同一のインターネットリソースを共有利用するインターネットリソース共有制御過程を含み、ＩＰ電話による通話中、前記ＵＲＬ情報を記述した電子メールを受信するため、ＰＯＰサーバから電子メールを受信する電子メール時間間隔を通常よりも短縮することを特徴とする請求項１６に記載の通信端末の制御方法。
【請求項１８】
前記ＵＲＬ情報を記述した最初の電子メールを受信した後、前記電子メール時間間隔の短縮を行なうことを特徴とする請求項１７に記載の通信端末の制御方法。
【請求項１９】
前記所定のＩＰ電話方式により取得した前記相手通信端末のＩＰアドレスに基づいて、前記ＵＲＬ情報を前記相手通信端末に送信することを特徴とする請求項１２〜１５のいずれか１項に記載の通信端末の制御方法。
【請求項２０】
ＩＰ網に接続し、所定のＩＰ電話方式により通話を行なう通信端末の制御方法において、自機または相手通信端末の一方がＨＴＴＰプロキシサーバとして、他方がＨＴＴＰクライアントとして動作し、相手通信端末との間でＨＴＴＰプロキシ手順を用いて目的のインターネットリソース自体を送受信することにより、相手通信端末と同一のインターネットリソースを共有利用するインターネットリソース共有制御過程を含むことを特徴とする通信端末の制御方法。
【請求項２１】
前記所定のＩＰ電話方式により取得した前記相手通信端末のＩＰアドレスに基づいて、前記相手通信端末との間でＨＴＴＰ手順を用いて目的のインターネットリソースの送受信を行なうことを特徴する請求項２０に記載の通信端末の制御方法。
【請求項２２】
前記インターネットリソースがＨＴＴＰサーバにより提供されるＷＥＢデータであることを特徴とする請求項１２〜２１のいずれか１項に記載の通信端末の制御方法。
【請求項２３】
ＩＰ網に接続し、所定のＩＰ電話方式により通話を行なう通信端末の制御プログラムにおいて、通話中の相手通信端末と、目的のインターネットリソースのＵＲＬ情報を送受信することにより、相手通信端末と同一のインターネットリソースを共有利用するインターネットリソース共有制御過程を含み、前記インターネットリソース共有過程は前記ＵＲＬ情報を受信すると該ＵＲＬ情報が示すインターネットリソースに自動的にアクセスすることを特徴とする通信端末の制御プログラム。
【請求項２４】
前記ＵＲＬ情報が前記ＵＲＬ情報を受信した後の利用処理に関する利用制御情報を含む特定の形式で記述され、前記ＵＲＬ情報を受信した場合、前記利用制御情報にしたがって前記ＵＲＬ情報に対応するインターネットリソースを利用するための制御過程を含むことを特徴とする請求項２３に記載の通信端末の制御プログラム。
【請求項２５】
自機または相手通信端末の一方が他方にＦＴＰログインし、前記ＵＲＬ情報をＦＴＰ手順を用いて相手通信端末と送受信するための制御過程を含むことを特徴とする請求項２３に記載の通信端末の制御プログラム。
【請求項２６】
相手通信端末に対してＦＴＰログインする際の認証情報としてメモリのアドレス帳領域に記憶された相手通信端末に関する情報を用いるための制御過程を含むことを特徴とする請求項２５に記載の通信端末の制御プログラム。
【請求項２７】
前記ＵＲＬ情報を電子メールプロトコルを用いて相手通信端末と送受信するための制御過程を含むことを特徴とする請求項２４に記載の通信端末の制御プログラム。
【請求項２８】
ＩＰ網に接続し、所定のＩＰ電話方式により通話を行なう通信端末の制御プログラムにおいて、通話中の相手通信端末と、目的のインターネットリソースのＵＲＬ情報を送受信することにより、相手通信端末と同一のインターネットリソースを共有利用するインターネットリソース共有制御過程を含み、ＩＰ電話による通話中、前記ＵＲＬ情報を記述した電子メールを受信するため、ＰＯＰサーバから電子メールを受信する電子メール時間間隔を通常よりも短縮するための制御過程を含むことを特徴とする請求項２７に記載の通信端末の制御プログラム。
【請求項２９】
前記ＵＲＬ情報を記述した最初の電子メールを受信した後、前記電子メール時間間隔の短縮を行なうための制御過程を含むことを特徴とする請求項２８に記載の通信端末の制御プログラム。
【請求項３０】
前記所定のＩＰ電話方式により取得した前記相手通信端末のＩＰアドレスに基づいて、前記ＵＲＬ情報を前記相手通信端末に送信することを特徴とする請求項２４〜２６のいずれか１項に記載の通信端末の制御プログラム。
【請求項３１】
ＩＰ網に接続し、所定のＩＰ電話方式により通話を行なう通信端末の制御プログラムにおいて、自機または相手通信端末の一方がＨＴＴＰプロキシサーバとして、他方がＨＴＴＰクライアントとして動作し、相手通信端末との間でＨＴＴＰプロキシ手順を用いて目的のインターネットリソース自体を送受信することにより、相手通信端末と同一のインターネットリソースを共有利用するインターネットリソース共有制御過程を含むことを特徴とする通信端末の制御プログラム。
【請求項３２】
前記所定のＩＰ電話方式により取得した前記相手通信端末のＩＰアドレスに基づいて、前記相手通信端末との間でＨＴＴＰ手順を用いて目的のインターネットリソースの送受信を行なうことを特徴する請求項３１に記載の通信端末の制御プログラム。
【請求項３３】
前記インターネットリソースがＨＴＴＰサーバにより提供されるＷＥＢデータであることを特徴とする請求項２２〜３２のいずれか１項に記載の通信端末の制御プログラム。
【手続補正２】
【補正対象書類名】明細書
【補正対象項目名】０１９７
【補正方法】変更
【補正の内容】
【０１９７】
【発明の効果】
以上の説明から明らかなように、本発明によれば、ＩＰ網に接続し、所定のＩＰ電話方式により通話を行なう通信端末、その制御方法、およびその制御プログラムにおいて、通話中の相手通信端末と、目的のインターネットリソースのＵＲＬ情報を送受信することにより、相手通信端末と同一のインターネットリソースを共有利用するためのインターネットリソース共有手段ないし制御過程を含み、ＵＲＬ情報を受信した場合はそのＵＲＬ情報が示すインターネットリソースに自動的にアクセスする構成を採用しているので、従来の音声によるインターネットリソースの伝達と異なり、相互に正しくインターネットリソース（ないしその所在情報）を伝達でき、確実に同じインターネットリソースを利用でき、また、ＵＲＬなどのデータ再入力などの操作を省略できるという優れた効果がある。すなわち、本発明によれば、他の機器を用いることなく通話端末のみによりＩＰ電話で通話中の相手とインターネットリソースを簡単安価に、また面倒な操作を必要とせず確実に共有できる、という優れた効果が得られる。